(57)【要約】      （修正有）【課題】互いに接続することによって、長さが調整できるレール装置を有する照明装置を提供する。【解決手段】長尺状に形成されたレール手段１０と、レール手段１０に沿って移動できるようにレール手段１０に取付けられていて、移動によって投光目標を調整することができる可動投光手段２０とを具えている。レール手段１０は、接続手段３０によって連続的に繋ぎ合わされた２つのレールユニット２を有し、接続手段３０に、可動投光手段２０が１つのレールユニット２から他の１つのレールユニット２に乗り越えることができるレール接続部３３が形成されている。【選択図】図３
0003191458.tif 000002
【実用新案登録請求の範囲】
【請求項１】
長尺状に形成されたレール手段と、
前記レール手段に沿って移動できるように前記レール手段に取り付けられていて前記移動によって投光目標を調整することができる可動投光手段とを具えている照明装置において、
前記レール手段は、接続手段によって連続的に繋ぎ合わされた２つレールユニットを有しており、
前記接続手段は、前記可動投光手段が１つの前記レールユニットから他の１つの前記レールユニットに乗り越えられるように形成されたレール接続部を有していることを特徴とする照明装置。
【請求項２】
長尺状に形成されたレールユニットを有するレール手段と、
前記レールユニットの一端に取付けられると他のレールユニットと接続することができる接続手段と、
前記レールユニットに沿って移動できるように前記レールユニットに取付けられて投光目標を調整することができる可動投光手段とを具えている照明装置であって、
前記レールユニットは、その長さ方向の少なくとも１つの先端部に接続スロットが開けられているレール本体と、前記レール本体の前記長さ方向と直交する厚さ方向の１端部に取り付けられ、前記長さ方向に沿って、前記接続スロットが開けられている前記先端部から更に突出するように延伸している回路基板と、前記先端部から更に突出する前記回路基板の突出部から、前記厚さ方向の前記１端部の反対側へ突出する接続端子とを有するように形成されており、
前記接続手段は、
前記レールユニットの前記接続スロットに挿し込むことができる挿入部と、前記挿入部から延伸し、前記挿入部が前記接続スロットに挿し込まれる時に前記回路基板の前記突出部及び前記接続端子を受け入れる収容部とを有するように形成された接続ブロックと、
前記接続ブロックが有する前記収容部に取り付けられることができる取付板と、前記取付板の両面からそれぞれ突出し、前記接続ブロックの前記挿入部が前記接続スロットに挿し込まれている状態で前記取付板が該接続ブロックの前記収容部に取り付けられると、前記接続端子を介して前記回路基板と電気的に接続することができる接続ピンとを有するように形成された接電ブロックと、を備えていることを特徴とする照明装置。
【請求項３】
前記接続ブロックの前記収容部は、
前記挿入部が前記接続スロットに挿し込まれる時に前記回路基板の前記突出部及び前記接続端子を受け入れることができ、且つ前記取付板が該収容部に取り付けられる時、該取付板の周縁に当接するように該取付板を受け入れることができるように形成された周壁と、
前記取付板が該収容部に取り付けられる時、該取付板の板面に当接することができる当接板と、
前記接続ピンが挿通して前記周壁によって受け入れられて前記接続端子と電気的に接続することができるように前記当接板に開けられている挿通孔と、を有するように形成されていることを特徴とする請求項２に記載の照明装置。
【請求項４】
前記レールユニットは、
前記長さ方向に沿って延伸すると共に、前記厚さ方向と直交する第１面と前記第１面の反対側にある第２面とを有する平板部と、
前記平板部の前記長さ方向に沿う２つの端縁から、前記第１面が向かう側へそれぞれ突起し、突起の先端に互いに向き合う係止突起が形成されている２つの上壁部と、
前記長さ方向に沿って延伸すると共に、前記平板部の前記第２面から突設されているレールとを有するように形成されており、
前記可動投光手段は、前記レールに摺動可能に取付けられており、
前記接続スロットは、前記平板部と前記２つの上壁部と前記２つの上壁部それぞれの先端に形成された前記係止突起とによって画成されていることを特徴とする請求項３に記載の照明装置。
【請求項５】
前記レールは、前記レールユニットの前記平板部の第２面から突設されている一対のレールバーからなり、
前記一対のレールバーがそれぞれ有する互いに向い合う内側面に、前記長さ方向に沿って延伸する取付け溝が凹設されており、
前記回路基板は、前記一対のレールバーにそれぞれ凹設されている前記取付け溝に嵌め込まれており、
前記可動投光手段は、前記回路基板の前記第２面が向かう側の端面を覆いながら前記一対のレールバーを両側から挟むように前記一対のレールバーに摺動可能に取付けられている摺動部を有していることを特徴とする請求項４に記載の照明装置。
【請求項６】
前記接続手段は、
前記接続ブロックの前記周壁から延伸する第１の延伸レールと、
前記接電ブロックの前記取付板から延伸する第２の延伸レールと、からなるレール接続部を更に有し、
前記レール接続部は、前記接続ブロックの前記挿入部が前記接続スロットに挿し込まれていると共に前記取付板が該接続ブロックの前記収容部に取り付けられている状態で、前記一対のレールバーに対応し、前記一対のレールバーに摺動可能に取付けられている前記可動投光手段の前記摺動部が該レール接続部を更に摺動できるよう、前記一対のレールバーから更に延伸するように配置構成されていることを特徴とする請求項５に記載の照明装置。
【請求項７】
前記レール手段に、前記レールユニットの前記平板部と前記２つの上壁部と前記２つの上壁部それぞれの先端に形成された前記係止突起とによって挟まれるように前記レール手段に取付けられている取付けブロックと、前記取付けブロックから前記第１面が向かう側に向かって突起する固定ピンとを有する固定手段が取り付けられていることを特徴とする請求項４に記載の照明装置。
【請求項８】
前記回路基板は、前記長さ方向に沿って延伸する固定端子をその前記第２面が向かう側の端面に有しており、
前記摺動部は、常に前記回路基板が有する前記固定端子と接触して電気的に接続している可動端子を有していることを特徴とする請求項５に記載の照明装置。
【請求項９】
前記可動端子は、前記長さ方向に沿って間をあけて並ぶ第１の端子と第２の端子とを有しており、
前記第１の端子と前記第２の端子との距離は、前記取付板の厚さより大であることを特徴とする請求項８に記載の照明装置。
【請求項１０】
前記レール手段は、
前記接続スロットに前記接続手段の前記接続ブロックの前記挿入部が挿し込まれて固定されている前記レールユニットを２つ有しており
前記接続手段の前記接電ブロックは、前記２つのレールユニットにそれぞれ固定されている前記接続ブロックがそれぞれ有する前記収容部に同時に取り外し可能に取り付けられていることを特徴とする請求項２に記載の照明装置。
【請求項１１】
前記接続手段は、
前記取付板の両端面にそれぞれ１つの前記接続ブロックの前記収容部が固定されていることを特徴とする請求項２に記載の照明装置。
【考案の詳細な説明】
【技術分野】
【０００１】
本考案は照明装置に関し、特に互いに接続できるレール手段を有する照明装置に関する。
【背景技術】
【０００２】
ショーケースに収容される商品をより綺麗に展示するため、スポットライトを商品に当てる従来の照明装置として、例えば、特許文献１に記載されているものが挙げられる。該従来の照明装置は、レール手段と該レール手段に摺動可能に取付けられる投光手段を備え、前記投光手段が前記レール手段に沿って移動することによって投光目標を調整することができるので、ショーケースに収容される商品のサイズや種類に応じて、異なる位置から投光することができる。
【先行技術文献】
【特許文献】
【０００３】
【特許文献１】台湾実用新案第Ｍ２８９８３３号明細書
【考案の概要】
【考案が解決しようとする課題】
【０００４】
しかし、上記の照明装置が有するレール手段は、一定の長さに作成されているので、必ずしもショーケースの寸法と合致するとは限らず、導入しようとするショーケースの寸法に合わせて対応の長さを持つレールを新しく作らせる場合が殆どであるので、使用者にとっては非常に不便である。
【０００５】
上記問題点に鑑みて、本考案は互いに接続することによって、長さが調整できるので異なる寸法を持つショーケースに弾性的に対応できるレール手段を有する照明装置の提供を目的とする。
【課題を解決するための手段】
【０００６】
上記目的を達成すべく、本考案は、長尺状に形成されたレール手段と、前記レール手段に沿って移動できるように前記レール手段に取付けられていて前記移動によって投光目標を調整することができる可動投光手段とを具えている照明装置において、前記レール手段は、接続手段によって連続的に繋ぎ合わされた２つレールユニットを有しており、前記接続手段は、前記可動投光手段が１つの前記レールユニットから他の１つの前記レールユニットに乗り越えられるように形成されたレール接続部を有していることを特徴とする照明装置を提供する。
【０００７】
また、長尺状に形成されたレールユニットを有するレール手段と、前記レールユニットの一端に取付けられると他のレールユニットと接続することができる接続手段と、前記レールユニットに沿って移動できるように前記レールユニットに取付けられて投光目標を調整することができる可動投光手段とを具えている照明装置であって、前記レールユニットは、その長さ方向の少なくとも１つの先端部に接続スロットが開けられているレール本体と、前記レール本体の前記長さ方向と直交する厚さ方向の１端部に取り付けられ、前記長さ方向に沿って、前記接続スロットが開けられている前記先端部から更に突出するように延伸している回路基板と、前記先端部から更に突出する前記回路基板の突出部から、前記厚さ方向の前記１端部の反対側へ突出する接続端子とを有するように形成されており、前記接続手段は、前記レールユニットの前記接続スロットに挿し込むことができる挿入部と、前記挿入部から延伸し、前記挿入部が前記接続スロットに挿し込まれる時に前記回路基板の前記突出部及び前記接続端子を受け入れる収容部とを有するように形成された接続ブロックと、前記接続ブロックが有する前記収容部に取り付けられることができる取付板と、前記取付板の両面からそれぞれ突出し、前記接続ブロックの前記挿入部が前記接続スロットに挿し込まれている状態で前記取付板が該接続ブロックの前記収容部に取り付けられると、前記接続端子を介して前記回路基板と電気的に接続することができる接続ピンとを有するように形成された接電ブロックと、を備えていることを特徴とする照明装置を提供する。
【０００８】
上記の照明装置において、前記接続ブロックの前記収容部は、前記挿入部が前記接続スロットに挿し込まれる時に前記回路基板の前記突出部及び前記接続端子を受け入れることができ、且つ前記取付板が該収容部に取り付けられる時、該取付板の周縁に当接するように該取付板を受入れることができるように形成された周壁２２３と、前記取付板が該収容部に取り付けられる時、該取付板の板面に当接することができる当接板と、前記接続ピンが挿通して前記周壁２２３によって受け入れられて前記接続端子と電気的に接続することができるように前記当接板に開けられている挿通孔とを有するように形成されていることが好ましい。
【０００９】
上記の照明装置において、前記レールユニットは、前記長さ方向に沿って延伸すると共に、前記厚さ方向と直交する第１面と前記第１面の反対側にある第２面とを有する平板部と、前記平板部の前記長さ方向に沿う２つの端縁から、前記第１面が向かう側へそれぞれ突起し、突起の先端に互いに向き合う係止突起が形成されている２つの上壁部と、前記長さ方向に沿って延伸すると共に、前記平板部の前記第２面から突設されているレールとを有するように形成されており、前記可動投光手段は、前記レールに摺動可能に取付けられており、前記接続スロットは、前記平板部と前記２つの上壁部と前記２つの上壁部それぞれの先端に形成された前記係止突起とによって画成されていることが好ましい。
【００１０】
上記の照明装置において、前記レールは、前記レールユニットの前記平板部の第２面から突設されている一対のレールバーからなり、前記一対のレールバーがそれぞれ有する互いに向い合う内側面に、前記長さ方向に沿って延伸する取付け溝が凹設されており、前記回路基板は、前記一対のレールバーにそれぞれ凹設されている前記取付け溝に嵌め込まれており、前記可動投光手段は、前記回路基板の前記第２面が向かう側の端面を覆いながら前記一対のレールバーを両側から挟むように前記一対のレールバーに摺動可能に取付けられている摺動部を有していることが好ましい。
【００１１】
上記の照明装置において、前記接続手段は、前記接続ブロックの前記周壁２２３から延伸する第１の延伸レールと、前記接電ブロックの前記取付板から延伸する第２の延伸レールと、からなるレール接続部を更に有し、前記レール接続部は、前記接続ブロックの前記挿入部が前記接続スロットに挿し込まれていると共に前記取付板が該接続ブロックの前記収容部に取り付けられている状態で、前記一対のレールバーに対応し、前記一対のレールバーに摺動可能に取付けられている前記可動投光手段の前記摺動部が該レール接続部を更に摺動できるよう、前記一対のレールバーから更に延伸するように配置構成されていることが好ましい。
【００１２】
上記の照明装置において、前記レール手段に、前記レールユニットの前記平板部と前記２つの上壁部と前記２つの上壁部それぞれの先端に形成された前記係止突起とによって挟まれるように前記レール手段に取付けられている取付けブロックと、前記取付けブロックから前記第１面が向かう側に向かって突起する固定ピンとを有する固定手段が取り付けられていることが好ましい。
【００１３】
上記の照明装置において、前記回路基板は、前記長さ方向に沿って延伸する固定端子をその前記第２面が向かう側の端面に有しており、前記摺動部は、常に前記回路基板が有する前記固定端子と接触して電気的に接続している可動端子を有していることが好ましい。
【００１４】
上記の照明装置において、前記可動端子は、前記長さ方向に沿って間をあけて並ぶ第１の端子と第２の端子とを有しており、前記第１の端子と前記第２の端子との距離は、前記取付板の厚さより大であることが好ましい。
【００１５】
上記の照明装置において、前記レール手段は、前記接続スロットに前記接続手段の前記接続ブロックの前記挿入部が挿し込まれて固定されている前記レールユニットを２つ有しており、前記接続手段の前記接電ブロックは、前記２つレールユニットにそれぞれ固定されている前記接続ブロックがそれぞれ有する前記収容部に同時に取り外し可能に取付けられることができる。
【００１６】
上記の照明装置において、前記接続手段は、前記取付板の両端面にそれぞれ１つの前記接続ブロックの前記収容部が固定されていることができる。
【考案の効果】
【００１７】
上記の構成によれば、本考案の照明装置は、接続手段を用いて互いに接続することによって、所望の長さに調整できるレール手段を有するので、レール手段の長さが一定である従来の照明装置より、更に多くのショーケースに対応することができる。
【図面の簡単な説明】
【００１８】
【図１】本考案の照明装置の好ましい実施形態を示す斜視図である。
【図２】本考案の照明装置の好ましい実施形態が、２つ接続されている状態を示す斜視図である。
【図３】本考案の照明装置の好ましい実施形態において一部の部品が分離された構成を示す要部斜視図である。
【図４】本考案の照明装置の好ましい実施形態の一部の構成を示す断面図である。
【考案を実施するための形態】
【００１９】
以下では添付の図面を参照しながら、本考案の好ましい実施形態を説明する。
【００２０】
本考案の好ましい実施形態の照明装置は、図１に示されるように、長尺状に形成されたレール手段１０と、レール手段１０に沿って移動できるように取付けられていて、レール手段１０に沿って移動することによって投光目標を調整することができる可動投光手段２０とを具えている。更に、図２に示されるように、レール手段１０は、接続手段３０によって連続的に繋ぎ合わされた少なくとも２つレールユニット２を有しており、そして接続手段３０には、可動投光手段２０が１つのレールユニット２から他の１つのレールユニット２に乗り越られるように形成されたレール接続部３３が有している。
【００２１】
レールユニット２について、図３と図４に示されるように、レールユニット２はアルミ押し出し成形で一体に成形されたレール本体２１と、該レール本体２１に取り付けられる回路基板２３とにより構成されている。
【００２２】
レール本体２１は、長さ方向Ｌに沿って延伸すると共に、第１面２１１ａ（図中の上面）と第１面２１１ａの反対側にある第２面２１１ｂとを有する平板部２１１と、平板部２１１の長さ方向Ｌに沿う２つの端縁から、第１面２１１ａが向かう側（即ち図中の上側）へそれぞれ突起し、突起の先端に互いに向き合う係止突起が形成されている２つの上壁部２１２と、長さ方向Ｌに沿って延伸すると共に、平板部２１１の第２面２１１ｂから突設されているレール２１３とを有するように形成されている。
【００２３】
更に、レール本体２１には、平板部２１１と２つの上壁部２１２と２つの上壁部２１２それぞれの先端に形成された前記係止突起とによって、レール本体２１の長さ方向Ｌにおける２つの先端部にそれぞれ開口を持つ接続スロット２１４が画成されている。
【００２４】
レール２１３は、平板部２１１の第２面２１１ｂに突設された一対のレールバー２１３１からなり、一対のレールバー２１３１がそれぞれ有する互いに向い合う内側面に、長さ方向Ｌに沿って延伸する取付け溝２１３２が凹設されている。
【００２５】
回路基板２２は、レール本体２１の長さ方向Ｌと直交する厚さ方向（即ち、第１面２１１ａと第２面２１１ｂとが並ぶ方向）の１端部に取り付けられるものであるが、この実施形態では一対のレールバー２１３１にそれぞれ凹設されている取付け溝２１３２に嵌め込まれていると共に、長さ方向Ｌに沿って、レール本体２１の前記先端部から更に突出するように延伸している。そして、前記先端部から更に突出する回路基板２２の突出部２５から、前記１端部の反対側（即ち第１面２１１ａ側）へ突出する例えば銅により作られた接続端子２３と、第２面２１１ｂが向かう側の端面にて、長さ方向Ｌ方向に沿って延伸する固定端子２４とを有するように形成されている。
【００２６】
接続手段３０は、図３と図４に示されるように、接続ブロック３１と接電ブロック３２とにより構成されている。
【００２７】
接続ブロック３１は、絶縁材料により作られたものであり、レールユニット２の接続スロット２１４に挿し込むことができる挿入部３１１と、挿入部３１１から延伸し、挿入部３１１が接続スロット２１４に挿し込まれる時に回路基板２２の突出部２５及び接続端子２３を受け入れ、接続端子２３と接電ブロック３２とが電気的に接続することができるように開けられている円形の挿通孔３１４が形成されている収容部３１２とを有するように形成されている。
【００２８】
接電ブロック３２は、接続ブロック３１が有する収容部３１２に取付けられることができ、絶縁材料より作られた取付板３２１と、取付板３２１の両面からそれぞれ突出し、接続ブロック３１の挿入部３１１が接続スロット２１４に挿し込まれている状態で、接続ブロック３１の収容部３１２の挿通孔３１４に挿し込むことによって、取付板３２１がを収容部３１２に取付けることとができると共に、接続端子２３を介して回路基板２２と電気的に接続することとができ、例えば銅により作られた円筒形の接続ピン３２２とよりから構成されている。
【００２９】
接続ブロック３１の収容部３１２は、挿入部３１１が接続スロット２１４に挿し込まれる時に回路基板２２の突出部２５及び接続端子２３を受け入れることができ、且つ接電ブロック３２が収容部３１２に取り付けられている状況で、取付板３２１の周縁に当接するように取付板３２１を受け入れることが可能に形成された周壁３１３と、取付板３２１の板面に当接することができる当接板３１５とを有するように形成されている。更に、挿通孔３１４は、接続ピン３２２が挿通して周壁３１３によって受け入れられて接続端子２３と電気的に接続することができるように当接板３１５に開けられている。
【００３０】
更に、接続手段３０は、接続ブロック３１の周壁３１３から延伸する第１の延伸レール３３１と、接電ブロック３２の取付板３２１から延伸する第２の延伸レール３３２とからなるレール接続部３３を有する。
【００３１】
レール接続部３３は、接続ブロック３１の挿入部３１１が接続スロット２１４に挿し込まれていると共に取付板３２１が接続ブロック３１の収容部３１２に取り付けられている状態で、一対のレールバー２１３１に対応し、一対のレールバー２１３１に摺動可能に取付けられている可動投光手段２０の摺動部２０１がレール接続部３３を更に摺動できるよう、一対のレールバー２１３１から更に延伸するように配置構成されている。
【００３２】
可動投光手段２０は、レール２１３に摺動可能に取付けられており、回路基板２２の第２面２１１ｂが向かう側の端面を覆いながら一対のレールバー２１３１を両側から挟むように一対のレールバー２１３１に摺動可能に取付けられている摺動部２０１と、第２面２１１ｂと平行する面にて回転可能に摺動部２０１に取り付けられた回転軸２０２と、第２面２１１ｂと直交する面にて回転可能に回転軸２０２に取り付けられた投光具２０３と備えている。
【００３３】
摺動部２０１には、長さ方向Ｌに沿って、取付板３２１の厚さより長い距離をあけて並んでいる第１の端子と第２の端子とからなる可動端子２０１１を有するので、可動投光手段２０は常に回路基板２２が有する固定端子２４と接触して電気的に接続していることができる。
【００３４】
なお、レール手段１０には、レールユニット２の平板部２１１と２つの上壁部２１２と２つの上壁部２１２それぞれの先端に形成された前記係止突起とによって挟まれるようにレール手段１０に取付けられている取付けブロック４１と、取付けブロック４１からレール本体２１の第１面２１１ａが向かう側に向かって突起する固定ピン４２とを有し、天井やショーケースの天井部に固定できる固定手段４が２つ取り付けられている。
【００３５】
上記の構成からみて、この好ましい実施形態の照明装置は、接続ピン３２２が挿通孔３１４に挿し込まれると、接続ピン３２２が収容部３１２に収容されている接続端子２３に当接するので、電気的な接続とともに物理的な接続もできる。従って、本考案のレール手段１０は用いるレールユニット２の数量や種類を変えることによって、所望の長さに調整することができるので、レール手段の長さが一定である従来の照明装置より、より多くのショーケースに対応することができる。
【００３６】
更に、レール接続部３３と可動端子２０１１との構成により、レール２１３に摺動可能に取付けられている摺動部２０１を有する可動投光手段２０は、常に電気的に接続している状態で、１つのレールユニット２から他の１つのレールユニット２に摺動することができる。ちなみに、接続ピン３２２と接続端子２３との材料は銅に限定されず、他の導電性が高い材料、例えば、金、銀などを用いることもできる。
【００３７】
また、本考案は、接続手段３０の接続ブロック３１の挿入部３１１を接続スロット２１４に挿し込んで固定するレールユニット２を２つ有し、そして、接電ブロック３２を用いて、２つのレールユニット２にそれぞれ固定されている接続ブロック３１がそれぞれ有する収容部３１２に同時に取り外し可能なように２つのレールユニット２を接続することによって、レール手段１０を構成することができる。
更に、本考案は、接電ブロック３２の取付板３２１の両端面にそれぞれ１つの接続ブロック３１の収容部３１２を固定することによって接続手段３０を構成し、そして、接続手段３０が有する２つの挿入部３１１をそれぞれのレールユニット２の接続スロット２１４に挿し込んで、２つのレールユニット２を接続することによって、レール手段１０を構成することもできる。
【産業上の利用可能性】
【００３８】
本考案の照明装置は、接続手段を用いて互いに接続することによって、所望の長さに調整できるレール手段を有するので、多くのショーケースに対応することができる。また、本考案の照明装置はショーケースに限らず、可動光源が必要とされる様々な分野に適用することも可能である。
【符号の説明】
【００３９】
Ｌ    長さ方向
１０    レール手段
２０    可動投光手段
２０１    摺動部
２０１１    可動端子
２０２    回転軸
２０３    投光具
２    レールユニット
２１    レール本体
２１１    平板部
２１１ａ    第１面
２１１ｂ    第２面
２１２    上壁部
２１３    レール
２１３１    レールバー
２１３２    取付け溝
２１４    接続スロット
２２    回路基板
２３    接続端子
２４    固定端子
２５    突出部
３０    接続手段
３１    接続ブロック
３１１    挿入部
３１２    収容部
３１３    周壁
３１４    挿通孔
３１５    当接板
３２    接電ブロック
３２１    取付板
３２２    接続ピン
３３    レール接続部
３３１    第１の延伸レール
３３２    第２の延伸レール
４    固定手段
４１    取付けブロック
４２    固定ピン
【図１】
0003191458.tif 000003
【図２】
0003191458.tif 000004
【図３】
0003191458.tif 000005
【図４】
0003191458.tif 000006
【手続補正書】
【提出日】平成26年4月24日(2014.4.24)
【手続補正１】
【補正対象書類名】実用新案登録請求の範囲
【補正対象項目名】全文
【補正方法】変更
【補正の内容】
【実用新案登録請求の範囲】
【請求項１】
長尺状に形成されたレールユニットを有するレール手段と、
前記レールユニットの一端に取付けられると他のレールユニットと接続することができる接続手段と、
前記レールユニットに沿って移動できるように前記レールユニットに取付けられて投光目標を調整することができる可動投光手段とを具えている照明装置であって、
前記レールユニットは、その長さ方向の少なくとも１つの先端部に接続スロットが開けられているレール本体と、前記レール本体の前記長さ方向と直交する厚さ方向の１端部に取り付けられ、前記長さ方向に沿って、前記接続スロットが開けられている前記先端部から更に突出するように延伸している回路基板と、前記先端部から更に突出する前記回路基板の突出部から、前記厚さ方向の前記１端部の反対側へ突出する接続端子とを有するように形成されており、
前記接続手段は、
前記レールユニットの前記接続スロットに挿し込むことができる挿入部と、前記挿入部から延伸し、前記挿入部が前記接続スロットに挿し込まれる時に前記回路基板の前記突出部及び前記接続端子を受け入れる収容部とを有するように形成された接続ブロックと、
前記接続ブロックが有する前記収容部に取り付けられることができる取付板と、前記取付板の両面からそれぞれ突出し、前記接続ブロックの前記挿入部が前記接続スロットに挿し込まれている状態で前記取付板が該接続ブロックの前記収容部に取り付けられると、前記接続端子を介して前記回路基板と電気的に接続することができる接続ピンとを有するように形成された接電ブロックと、を備えていることを特徴とする照明装置。
【請求項２】
前記接続ブロックの前記収容部は、
前記挿入部が前記接続スロットに挿し込まれる時に前記回路基板の前記突出部及び前記接続端子を受け入れることができ、且つ前記取付板が該収容部に取り付けられる時、該取付板の周縁に当接するように該取付板を受け入れることができるように形成された周壁と、
前記取付板が該収容部に取り付けられる時、該取付板の板面に当接することができる当接板と、
前記接続ピンが挿通して前記周壁によって受け入れられて前記接続端子と電気的に接続することができるように前記当接板に開けられている挿通孔と、を有するように形成されていることを特徴とする請求項１に記載の照明装置。
【請求項３】
前記レールユニットは、
前記長さ方向に沿って延伸すると共に、前記厚さ方向と直交する第１面と前記第１面の反対側にある第２面とを有する平板部と、
前記平板部の前記長さ方向に沿う２つの端縁から、前記第１面が向かう側へそれぞれ突起し、突起の先端に互いに向き合う係止突起が形成されている２つの上壁部と、
前記長さ方向に沿って延伸すると共に、前記平板部の前記第２面から突設されているレールとを有するように形成されており、
前記可動投光手段は、前記レールに摺動可能に取付けられており、
前記接続スロットは、前記平板部と前記２つの上壁部と前記２つの上壁部それぞれの先端に形成された前記係止突起とによって画成されていることを特徴とする請求項２に記載の照明装置。
【請求項４】
前記レールは、前記レールユニットの前記平板部の第２面から突設されている一対のレールバーからなり、
前記一対のレールバーがそれぞれ有する互いに向い合う内側面に、前記長さ方向に沿って延伸する取付け溝が凹設されており、
前記回路基板は、前記一対のレールバーにそれぞれ凹設されている前記取付け溝に嵌め込まれており、
前記可動投光手段は、前記回路基板の前記第２面が向かう側の端面を覆いながら前記一対のレールバーを両側から挟むように前記一対のレールバーに摺動可能に取付けられている摺動部を有していることを特徴とする請求項３に記載の照明装置。
【請求項５】
前記接続手段は、
前記接続ブロックの前記周壁から延伸する第１の延伸レールと、
前記接電ブロックの前記取付板から延伸する第２の延伸レールと、からなるレール接続部を更に有し、
前記レール接続部は、前記接続ブロックの前記挿入部が前記接続スロットに挿し込まれていると共に前記取付板が該接続ブロックの前記収容部に取り付けられている状態で、前記一対のレールバーに対応し、前記一対のレールバーに摺動可能に取付けられている前記可動投光手段の前記摺動部が該レール接続部を更に摺動できるよう、前記一対のレールバーから更に延伸するように配置構成されていることを特徴とする請求項４に記載の照明装置。
【請求項６】
前記レール手段に、前記レールユニットの前記平板部と前記２つの上壁部と前記２つの上壁部それぞれの先端に形成された前記係止突起とによって挟まれるように前記レール手段に取付けられている取付けブロックと、前記取付けブロックから前記第１面が向かう側に向かって突起する固定ピンとを有する固定手段が取り付けられていることを特徴とする請求項３に記載の照明装置。
【請求項７】
前記回路基板は、前記長さ方向に沿って延伸する固定端子をその前記第２面が向かう側の端面に有しており、
前記摺動部は、常に前記回路基板が有する前記固定端子と接触して電気的に接続している可動端子を有していることを特徴とする請求項４に記載の照明装置。
【請求項８】
前記可動端子は、前記長さ方向に沿って間をあけて並ぶ第１の端子と第２の端子とを有しており、
前記第１の端子と前記第２の端子との距離は、前記取付板の厚さより大であることを特徴とする請求項７に記載の照明装置。
【請求項９】
前記レール手段は、
前記接続スロットに前記接続手段の前記接続ブロックの前記挿入部が挿し込まれて固定されている前記レールユニットを２つ有しており
前記接続手段の前記接電ブロックは、前記２つのレールユニットにそれぞれ固定されている前記接続ブロックがそれぞれ有する前記収容部に同時に取り外し可能に取り付けられていることを特徴とする請求項１に記載の照明装置。
【請求項１０】
前記接続手段は、
前記取付板の両端面にそれぞれ１つの前記接続ブロックの前記収容部が固定されていることを特徴とする請求項１に記載の照明装置。